(57)【特許請求の範囲】
【請求項１】
複数の映像信号の中から選択された２つの映像信号を陰極線管の表示面上に主画像、子画像として１／ｎ（但し１＜ｎ）に縮小して同時に表示できるテレビジョン受像機であって、
前記２つの映像信号をデジタルデータ化した２つの映像データを記憶するフレームメモリと、
前記２つの映像信号をデジタルデータ化した２つの映像データを、それぞれ垂直方向の間引き処理は行わず、各水平ラインのデータを１／ｎに圧縮するための間引き処理を行ない、１つの合成映像データとして前記フレームメモリに１フィールド周期で連続的に書き込み、前記合成映像データを前記表示面に表示するための映像データとして前記フレームメモリから１フィールド周期で連続的に読み出すフレームメモリコントローラと、
前記陰極線菅の表示面に前記映像データを表示するとき、垂直偏向角を通常時の１／ｎの偏向角にさせる垂直偏向手段と、
前記フレームメモリコントローラと垂直偏向手段を制御する制御手段と
を備えることを特徴とするテレビジョン受像機。
【請求項２】
前記選択された２つの映像信号はお互いに異なるアスペクト比の異なる放送方式の映像信号であることを特徴とする請求項１に記載のテレビジョン受像機。
【発明の詳細な説明】
【０００１】
【産業上の利用分野】
本発明はテレビジョン受像機に関し、特に画面上に子画面などと称される縮小された画像を表示させる技術に関する。
【０００２】
【従来の技術】
従来、テレビジョン受像機の画面上に、子画面などと称される縮小された画像を表示させることが行われている。このような縮小された画像の表示態様としては、例えば図１３に示すように、画面全体を使用した親画面Ｍの一部に、３個の子画面Ｓ1 ，Ｓ2 ，Ｓ3 を重ねて表示させたり、或いは図１４に示すように、子画面Ｓ11〜Ｓ19だけを複数並べて表示させることが行われている。このような表示を行うことで、複数のチャンネルの画像を同時に確認することができる。
【０００３】
そして、このような表示が行われている状態で、何れかの子画面として表示されている画像を親画面として表示させたい場合には、テレビジョン受像機に付属したリモートコントロール装置などを操作して、親画面と子画面との入れ替えを指示させたり、或いは指定した子画面だけを親画面として表示させることを指示させることで、対応した表示に切換わる。
【０００４】
【発明が解決しようとする課題】
ところで、子画面のように縮小された画像（以下縮小画像と称する）を表示させる場合には、この縮小画像の解像度が、縮小されないで表示される画像に比べ低下する不都合があった。即ち、例えば１／２に縮小された画像（ここでの縮小率は画像の縦，横の長さの縮小率とする：以下同じ）を表示させる場合には、縮小画像表示に使用される走査線数が、通常のサイズの画像に比べ１／２になり、垂直解像度が１／２になってしまう不都合があった。このように垂直解像度が低下してしまうと、非常に見にくい画像になってしまい、特に画像中にスーパーインポーズなどで表示される文字などの判別が困難になる。
【０００５】
本発明の目的は、縮小されて表示される画像の解像度を低下させないテレビジョン受像機を提供することにある。
【０００６】
【課題を解決するための手段】
本発明は、複数の映像信号の中から選択された２つの映像信号を陰極線管の表示面上に主画像、子画像として１／ｎ（但し１＜ｎ）に縮小して同時に表示できるテレビジョン受像機であって、２つの映像信号をデジタルデータ化した２つの映像データを記憶するフレームメモリと、２つの映像信号をデジタルデータ化した２つの映像データを、それぞれ垂直方向の間引き処理は行わず、各水平ラインのデータを１／ｎに圧縮するための間引き処理を行ない、１つの合成映像データとしてフレームメモリに１フィールド周期で連続的に書き込み、合成映像データを前記表示面に表示するための映像データとしてフレームメモリから１フィールド周期で連続的に読み出すフレームメモリコントローラと、陰極線菅の表示面に映像データを表示するとき、垂直偏向角を通常時の１／ｎの偏向角にさせる垂直偏向手段と、フレームメモリコントローラと垂直偏向手段を制御する制御手段とを備えることを特徴とするものである。
【０００７】
またこの場合に、選択された２つの映像信号はお互いに異なるアスペクト比の異なる放送方式の映像信号であるものである。
【０００９】
【作用】
本発明によると、陰極線管に表示される画像の縮小率に比例して垂直偏向角を圧縮させることで、表示される画像の水平ライン数は変化がなく、垂直解像度が低下しない。
【００１０】
この場合、複数の映像信号をメモリに記憶させて、それぞれの画像を同時に縮小表示させることで、複数の画像がそれぞれ高い解像度で表示される。
【００１２】
【実施例】
以下、本発明の一実施例を、図１〜図１２を参照して説明する。
【００１３】
図１は本例のテレビジョン受像機の構成を示す図で、図中１はテレビジョン受像機全体を示し、このテレビジョン受像機１には、複数のアンテナ２，３が接続され、それぞれのアンテナ２，３が受信した信号をチューナ４，５に供給し、それぞれのチューナ４，５で所定のチャンネルの周波数帯の放送波を復調して所定の映像信号とする。このチューナ４，５は、このテレビジョン受像機の各種動作を制御する中央制御装置（ＣＰＵ）６により受信チャンネルが制御される。この中央制御装置６はマイクロコンピュータで構成され、このテレビジョン受像機に取付けられた操作キー７の操作に基づいて受信チャンネルや各種動作モードなどが制御される。或いは、リモートコントロール装置（図示せず）からのリモートコントロール信号の伝送により制御される場合もある。
【００１４】
そして、各チューナ４，５が出力する映像信号を、スイッチ回路８に供給する。また、このテレビジョン受像機１には複数の外部映像信号入力端子９ａ，９ｂ，９ｃが取付けられ、それぞれの入力端子９ａ，９ｂ，９ｃにＶＴＲ，ビデオディスク再生装置などの映像信号源が接続される。そして、これらの映像信号源から各入力端子９ａ，９ｂ，９ｃに供給される映像信号を、スイッチ回路８に供給する。そして、スイッチ回路８では、中央制御装置６の制御に基づいて何れかの映像信号を選択し、選択された映像信号を受像処理回路１０に供給する。そして、受像処理回路１０で中央制御装置６の制御に基づいて受像用の処理を行った映像信号（ＲＧＢ信号）を陰極線管１１に供給し、陰極線管１１に画像を表示させる。
【００１５】
また、本例においては受像処理回路１０で受像用の処理を行って陰極線管１１に供給する映像信号と同じ映像信号を、出力端子１０ａから出力させるようにしてある。但し、陰極線管１１に供給する映像信号がＲＧＢ信号であるのに対し、出力端子１０ａから出力させる映像信号は、コンポジット映像信号或いは輝度／クロマ分離映像信号としてある。従って、受像処理回路１０内では、ＲＧＢ信号等の映像信号から出力端子１０ａに供給するコンポジット映像信号（又は輝度／クロマ分離映像信号）を作成するための処理回路が必要になる。
【００１６】
また、受像処理回路１０で映像信号より水平同期信号及び垂直同期信号を抽出し、この水平同期信号及び垂直同期信号を水平偏向回路１２及び垂直偏向回路１３に供給する。そして、水平偏向回路１２で陰極線管１１に取付けられた水平偏向コイル１４Ｈを駆動させると共に、垂直偏向回路１３で陰極線管１１に取付けられた垂直偏向コイル１４Ｖを駆動させる。
【００１７】
そして本例においては、陰極線管１１に複数の画像を縮小して同時に表示できるようにしてある。このための構成について説明すると、スイッチ回路８に供給される映像信号（チューナ４，５の出力と端子９ａ，９ｂ，９ｃの出力）の中から、中央制御装置６の制御に基づいて２系統の映像信号を選択して、選択されたそれぞれの映像信号をデコーダ２１ａ，２１ｂに供給するようにしてある。各デコーダ２１ａ，２１ｂでは、供給される映像信号を輝度信号とクロマ信号とに復調し、復調された輝度信号及びクロマ信号を、それぞれのアナログ／デジタル変換器２２ａ，２２ｂに供給してデジタルデータに変換し、変換されたデジタルデータをメモリコントローラ２３に供給する。また、各デコーダ２１ａ，２１ｂに供給される映像信号より抽出した同期信号を、メモリコントローラ２３に供給する。
【００１８】
このメモリコントローラ２３には、デジタルデータ化された映像信号を記憶するフレームメモリ２４が接続され、中央制御装置６からの指令に基づいたメモリコントローラ２３の制御で、アナログ／デジタル変換器２２ａ，２２ｂから供給される２系統の映像データを記憶させる。この場合、メモリ２４に書込む際には、それぞれの系統の映像データを表示画像の縮小率に従って間引いてデータ量を圧縮させたものとする。このメモリ２４への映像データの書込みは、１フィールド周期で連続的に行わせる。
【００１９】
また本例においては、メモリコントローラ２３からメモリ２４に縮小画像のデータを書込む際に、必要により各縮小画像に何らかの色で枠を付加するようなデータを同時に書込ませることができるようにしてある。さらに、後述する親画面と子画面とが重ならない状態で表示させる表示態様の場合に、表示画面中の親画面でも子画面でもない箇所が生じる場合には、この箇所にも何らかの背景色を着色させるためのデータをメモリに書込ませる。これらの枠のデータや背景のデータは、中央制御装置６からの指令に基づいてメモリコントローラ２３内で生成されて書込まれる。
【００２０】
そして、メモリ２４に記憶された映像データを、１フィールド周期で連続的に読出してデジタル／アナログ変換器２５に供給し、アナログの輝度信号及びクロマ信号とする。そして、この読出された輝度信号及びクロマ信号を、受像処理回路１０に供給し、受像用の処理を行ってＲＧＢ信号とし、このＲＧＢ信号を陰極線管１１に供給し、陰極線管１１に画像を表示させる。
【００２１】
このように構成することで、中央制御装置６からの指令のメモリコントローラ２３への伝送で、メモリコントローラ２３がメモリ２４へ映像データを書込ませる際の処理状態に基づいた縮小画像の各種表示態様が可能になる。以下本例のテレビジョン受像機で用意された表示態様を順に説明すると、まず図２に示す表示ができる。
【００２２】
この図２において、１００は陰極線管１１で表示される画面全体を示し、この画面１００の右側に大きく親画面１０１を表示させると共に、左側に縦一列に３個の子画面１０２，１０３，１０４を表示させる。そして、３個の子画面１０２，１０３，１０４には、それぞれ個別に枠１１２，１１３，１１４を付加させる。そして、このそれぞれの枠１１２，１１３，１１４の色を、それぞれの子画面１０２，１０３，１０４の選択状態などにより中央制御装置６の制御に基づいて変化させる。例えば、リモートコントロール装置などで子画面と親画面との入れ替えを行う場合に、どの子画面を入れ替えるのかを指示するとき、指示された子画面の枠の色を他の子画面と変化させる。
【００２３】
そして、入力映像データと各画面との関係としては、親画面１０１で表示させる画像として、チューナ４で受信したチャンネルの映像信号を、デコーダ２１ａ，アナログ／デジタル変換器２２ａによる処理でメモリコントローラ２３に供給させた信号による画像とする。このときには、チューナ４での受信チャンネルを固定させて、各フィールド毎に書き込ませて完全な動画として親画面１０１を表示させる。そして、各子画面１０２，１０３，１０４で表示させる画像として、チューナ５で受信したチャンネルの映像信号を、デコーダ２１ｂ，アナログ／デジタル変換器２２ｂによる処理でメモリコントローラ２３に供給させた信号による画像とする。この場合、チューナ５での受信チャンネルを所定周期（例えば数秒毎）に変化させて、各子画面１０２，１０３，１０４で個別のチャンネルの画像を表示させる。従って、各子画面１０２，１０３，１０４で表示される画像は、数秒毎に内容が変化する擬似動画になる。
【００２４】
次に、図３に示す表示態様について説明すると、この図３において、２００は陰極線管１１で表示される画面全体を示し、この画面２００を４等分してそれぞれ同じ大きさで親画面２０１と子画面２０２，２０３，２０４とを表示させる。このときにも、それぞれの画面（ここでは親画面も含む）に枠を付加させ、選択状態などにより枠の表示色を変化させる。また、親画面と各子画面とは、枠の色を変えておく。そして、親画面２０１で表示させる画像として、チューナ４で受信したチャンネルの映像信号を、デコーダ２１ａ，アナログ／デジタル変換器２２ａによる処理でメモリコントローラ２３に供給させた信号による完全な動画としての画像とする。また、各子画面２０２，２０３，２０４で表示させる画像として、チューナ５で受信したチャンネルの映像信号を、デコーダ２１ｂ，アナログ／デジタル変換器２２ｂによる処理でメモリコントローラ２３に供給させた信号による画像とし、チューナ５の受信チャンネルを周期的に変化させて、各子画面２０２，２０３，２０４で表示させる画像を、数秒毎に内容が変化する擬似動画とする。
【００２５】
次に、図４に示す表示態様について説明すると、この図４において、３００は陰極線管１１で表示される画面全体を示し、この画面３００を９等分してそれぞれ同じ大きさで親画面３０１と子画面３０２，３０３‥‥３０９とを表示させる。この場合、中央を親画面３０１とする。このときにも、それぞれの画面（ここでは親画面も含む）に枠を付加させ、選択状態などにより枠の表示色を変化させる。また、親画面と各子画面とは、枠の色を変えておく。そして、親画面３０１で表示させる画像として、チューナ４で受信したチャンネルの映像信号を、デコーダ２１ａ，アナログ／デジタル変換器２２ａによる処理でメモリコントローラ２３に供給させた信号による完全な動画としての画像とする。また、各子画面３０２〜３０９で表示させる画像として、チューナ５で受信したチャンネルの映像信号を、デコーダ２１ｂ，アナログ／デジタル変換器２２ｂによる処理でメモリコントローラ２３に供給させた信号による画像とし、チューナ５の受信チャンネルを周期的に変化させて、各子画面３０２〜３０９で表示させる画像を、数秒毎に内容が変化する擬似動画とする。
【００２６】
次に、図５に示す表示態様について説明すると、この図５において、４００は陰極線管１１で表示される画面全体を示し、この画面４００の左下に比較的大きな親画面４０１を表示させると共に、右上に９個の子画面４０２，４０３‥‥４１０とを表示させる。このときにも、それぞれの子画面に枠を付加させ、選択状態などにより枠の表示色を変化させる。そして、親画面４０１で表示させる画像として、チューナ４で受信したチャンネルの映像信号を、デコーダ２１ａ，アナログ／デジタル変換器２２ａによる処理でメモリコントローラ２３に供給させた信号による完全な動画としての画像とする。また、各子画面４０２〜４１０で表示させる画像として、チューナ５で受信したチャンネルの映像信号を、デコーダ２１ｂ，アナログ／デジタル変換器２２ｂによる処理でメモリコントローラ２３に供給させた信号による画像とし、チューナ５の受信チャンネルを周期的に変化させて、各子画面４０２〜４１０で表示させる画像を、数秒毎に内容が変化する擬似動画とする。
【００２７】
次に、図６に示す表示態様について説明すると、この図６において、５００は陰極線管１１で表示される画面全体を示し、この画面５００の全面に親画面５０１を表示させると共に、この親画面５０１に重なる状態で、４個の子画面５０２，５０３，５０４，５０５を表示させる。このときにも、それぞれの子画面に枠を付加させ、選択状態などにより枠の表示色を変化させる。そして、親画面５０１で表示させる画像として、チューナ４で受信したチャンネルの映像信号を、デコーダ２１ａ，アナログ／デジタル変換器２２ａによる処理でメモリコントローラ２３に供給させた信号による完全な動画としての画像とする。また、各子画面５０２〜５０５で表示させる画像として、チューナ５で受信したチャンネルの映像信号を、デコーダ２１ｂ，アナログ／デジタル変換器２２ｂによる処理でメモリコントローラ２３に供給させた信号による画像とし、チューナ５の受信チャンネルを周期的に変化させて、各子画面５０２〜５０５で表示させる画像を、数秒毎に内容が変化する擬似動画とする。
【００２８】
次に、図７に示す表示態様について説明すると、この図７において、６００は陰極線管１１で表示される画面全体を示し、この画面６００の全面に親画面６０１を表示させると共に、この親画面６０１に重なる状態で、９個の子画面６０２，６０３‥‥６１０を表示させる。このときにも、それぞれの子画面に枠を付加させ、選択状態などにより枠の表示色を変化させる。そして、親画面６０１で表示させる画像として、チューナ４で受信したチャンネルの映像信号を、デコーダ２１ａ，アナログ／デジタル変換器２２ａによる処理でメモリコントローラ２３に供給させた信号による完全な動画としての画像とする。また、各子画面６０２〜６１０で表示させる画像として、チューナ５で受信したチャンネルの映像信号を、デコーダ２１ｂ，アナログ／デジタル変換器２２ｂによる処理でメモリコントローラ２３に供給させた信号による画像とし、チューナ５の受信チャンネルを周期的に変化させて、各子画面６０２〜６１０で表示させる画像を、数秒毎に内容が変化する擬似動画とする。
【００２９】
ここまでの例は、全て親画面，子画面共にアスペクト比４：３の画像を表示させるようにしたが、以下に示すようにアスペクト比４：３の通常の放送方式の画像と、ハイビジョン放送などのアスペクト比１６：９の放送方式の画像とを、混在させて表示させることもできる。
【００３０】
このアスペクト比の異なる画像を混在させた例として、まず図８に示す表示態様について説明すると、この図８において、７００は陰極線管１１で表示される画面全体を示し、この画面７００の左側に親画面７０１を表示させると共に、右側に子画面７０２を表示させる。そして、親画面７０１で表示させる画像として、チューナ４で受信したチャンネルの映像信号を、デコーダ２１ａ，アナログ／デジタル変換器２２ａによる処理でメモリコントローラ２３に供給させた信号による完全な動画としての画像とする。また、子画面７０２で表示させる画像として、チューナ５で受信したチャンネルの映像信号を、デコーダ２１ｂ，アナログ／デジタル変換器２２ｂによる処理でメモリコントローラ２３に供給させた信号による完全な動画としての画像とする。そして、この場合にはチューナ５で受信するチャンネルとして、画像のアスペクト比が１６：９の画像が得られる放送方式（ハイビジョン放送など）のチャンネルとし（従ってここではチューナ５を対応した方式のものとする）、子画面７０２としてアスペクト比１６：９の画像を表示させる。また、親画面７０１としては通常のアスペクト比（即ち４：３のアスペクト比）の画像を表示させる。
【００３１】
次に、図９に示す表示態様について説明すると、この図９において、８００は陰極線管１１で表示される画面全体を示し（ここでは画面８００のアスペクト比を１６：９とする）、この画面８００の左側にアスペクト比１６：９の親画面８０１を表示させると共に、右側にアスペクト比４：３の複数の子画面８０２，８０３‥‥８１０を表示させる。そして、親画面８０１で、チューナの受信チャンネルを固定させた完全な動画としての画像を表示させる。また、各子画面８０２〜８１０で表示させる画像として、チューナの受信チャンネルを順次変化させた擬似動画としての画像を表示させる。そして、各子画面８０２〜８１０に、それぞれ個別に色が設定された枠を付加する。
【００３２】
ここまでの説明では、メモリコントローラ２３に映像データを供給する系統が２系統（即ち２個のデコーダ２１ａ，２１ｂと２個のアナログ／デジタル変換器２２ａ，２２ｂ）である場合について説明したが、３系統以上ある場合には、同時に３組の動画を表示させたり、或いは２組の動画と、複数の擬似動画とを同時に表示させることができるようになる。次に、図１０にこの場合の例を説明すると、図１０において、９００は陰極線管１１で表示される画面全体を示し、この画面９００の左上にアスペクト比４：３の親画面９０１を表示させると共に、右上にアスペクト比４：３の子画面９０２を表示させ、さらに下側にアスペクト比１６：９の４個の子画面９０３，９０４，９０５，９０６を表示させる。そして、親画面９０１で、チューナ４の受信チャンネルを固定させた完全な動画としての画像を表示させる。また、子画面９０２で何れかの外部入力端子９ａ〜９ｃに得られる映像信号に基づいた画像を完全な動画として表示させる。さらに、４個の子画面９０３，９０４，９０５，９０６で、チューナ５の受信チャンネルを順次変化させた擬似動画としての画像を表示させる。そして、各子画面９０２〜９０６には、それぞれ個別に色が設定された枠を付加する。
【００３３】
なお、以上説明したそれぞれの例で示す表示態様での親画面や子画面は、チューナで受信した映像を表示させるようにしたが（図１０の例を除く）、何れかの外部入力端子９ａ〜９ｃに得られる映像信号に基づいた画像を親画面や子画面として表示させるようにしても良い。
【００３４】
また、このテレビジョン受像機での音声の再生系については説明しなかったが、通常は親画面として表示された画像に対応した音声を再生させるようにすることが考えられるが、他の音声を再生させるようにしても良い。
【００３５】
また、上述実施例では子画面などに枠を表示させる場合、この枠の色で区別をつけるようにしたが、輝度の変化など他の要因で区別をつけるようにしても良い。また、子画面だけを複数並べて表示させる場合には、この子画面の解像度を向上させることができる。以下、この子画面の解像度を向上させる場合の構成について説明する。
【００３６】
ここでは、陰極線管１１に２組の画像を縮小して同時に並列表示する場合について説明する。まず、図１のテレビジョン受像機において、スイッチ回路８に供給される映像信号（チューナ４，５の出力と端子９ａ，９ｂ，９ｃの出力）の中から、中央制御装置６の制御に基づいて２系統の映像信号を選択して、選択されたそれぞれの映像信号をデコーダ２１ａ，２１ｂに供給するようにしてある。各デコーダ２１ａ，２１ｂでは、供給される映像信号を輝度信号とクロマ信号とに復調し、復調された輝度信号及びクロマ信号を、それぞれのアナログ／デジタル変換器２２ａ，２２ｂに供給してデジタルデータに変換し、変換されたデジタルデータをメモリコントローラ２３に供給する。また、各デコーダ２１ａ，２１ｂに供給される映像信号より抽出した同期信号を、メモリコントローラ２３に供給する。
【００３７】
このメモリコントローラ２３には、デジタルデータ化された映像信号を記憶するフレームメモリ２４が接続され、中央制御装置６からの指令に基づいたメモリコントローラ２３の制御で、アナログ／デジタル変換器２２ａ，２２ｂから供給される２系統の映像データを記憶させる。この場合、メモリ２４に書込まれるそれぞれの系統の映像データとしては、各水平ラインを構成するデータを、１ドットずつ間引いて１／２のドット数にするが、水平ライン数自体は間引かない（即ち全ての水平ラインのデータを記憶させる）。なお、２系統の映像データの記憶状態としては、一方のアナログ／デジタル変換器２２ａから供給される映像データを、メモリ２４に用意された１枚分の画像が記憶されるエリアの内の左半分の画像が記憶できるエリアに記憶させ、他方のアナログ／デジタル変換器２２ｂから供給される映像データを、右半分の画像が記憶されるエリアに記憶させる。このメモリ２４への映像データの書込みは、１フィールド周期で連続的に行われる。
【００３８】
そして、メモリ２４に記憶された２組の映像データを、１フィールド周期で連続的に読出してデジタル／アナログ変換器２５に供給し、アナログの輝度信号及びクロマ信号とする。そして、この読出された輝度信号及びクロマ信号を、受像処理回路１０に供給し、受像用の処理を行ってＲＧＢ信号とし、このＲＧＢ信号を陰極線管１１に供給し、陰極線管１１に画像を表示させる。
【００３９】
そして、このときには中央制御装置６から垂直偏向回路１３に制御信号を供給して、垂直偏向コイル１４Ｖによる受像画像の垂直偏向角を、通常時の１／２の偏向角にさせる。また、水平偏向角は通常のままの角度とさせる。
【００４０】
このように構成することで、メモリ２４を臨む回路を使用した縮小画像表示として、図１１に示すような表示が行われる。即ち、陰極線管１１の画面１１ａの中央の左半分１１Ｌに、スイッチ回路８で選択された一方の映像信号による画像が、通常の１／２の大きさ（面積で１／４）で表示されると共に、右半分１１Ｒに、スイッチ回路８で選択された他方の映像信号による画像が、通常の１／２の大きさで表示される。
【００４１】
ここで、本例においては縮小表示される画像の垂直方向の解像度が、画面全体に表示された場合とほぼ同様の良好なものになる。この点について図１２を用いて説明すると、まずメモリ２４への映像データの記憶状態としては、例えば図１２のＡに示すように、アナログ／デジタル変換器２２ａ，２２ｂが出力する映像データによる１フィールドの画像が、水平方向８ドット×垂直方向６ドットの４８ドットで構成されていると仮定する（ここでは説明を簡単にするためにドット数を最小限の数としてある）。このとき、メモリ２４に記憶されるデータは、各水平ラインの１ドットずつ間引かれた合計２４ドットのデータ（図１２のＡに数字を付したドットのデータ）である。
【００４２】
そして、この２４ドットのデータで縮小画像の表示が行われるのであるが、この縮小画像の表示時には垂直偏向コイル１４Ｖによる垂直方向の偏向角が通常時の１／２であるので、図１２のＢに示すように、各水平ラインの垂直方向の間隔が１／２になり、通常表示時の１／２の幅で６水平ラインが全て表示されることになる。従って、垂直方向の解像度は、画面全体を使用して表示される場合と変わりがない。なお、従来のテレビジョン受像機で１／２の大きさで縮小表示を行う場合を図１２のＣに参考までに示すと、従来は偏向角を変えないので、水平ライン数が１／２になり、１水平ラインずつ間引かれた表示が行われ、垂直方向の解像度が１／２になってしまう。
【００４３】
なお、本例においては２組のチューナ４，５を設けたので、この２組のチューナ４，５でそれぞれ別のチャンネルの選択を行い、この２組のチューナ４，５が出力する映像信号をスイッチ回路８で選択してメモリ２４側に供給するようにすれば、異なる２つのチャンネルの画像を図１１に示すように並べて表示させることができる。また、何れか一方或いは両方に表示される画像を、外部入力端子９ａ〜９ｃに得られる映像信号による画像とすることもできることは勿論である。
【００４４】
さらに、ここでは１／２に縮小して２組の画像を並列表示させるようにしたが、３組以上の画像を同時に表示させるようにしても良い。この場合、縮小率を１／２以外に変化させたときには、垂直偏向角も対応させて変化させる必要がある。
【００４５】
【発明の効果】
本発明によると、陰極線管に表示される画像の縮小率に比例して垂直偏向角を圧縮させることで、表示される画像の水平ライン数は変化がなく、垂直解像度が低下せず、縮小表示された画像中の文字などの確認が良好にできるようになる。
【００４６】
この場合、複数の映像信号をメモリに記憶させて、それぞれの画像を同時に縮小表示させることで、複数の画像がそれぞれ高い解像度で表示されるようになる。
【００４７】
さらに、メモリへの映像信号の書込みを１フィールド周期で行うことで、縮小表示される画像が、リアルタイムで変化する通常の画像と同様な良好な動画になる。
【図面の簡単な説明】
【図１】本発明の一実施例を示す構成図である。
【図２】一実施例による表示例を示す説明図である。
【図３】一実施例による表示例を示す説明図である。
【図４】一実施例による表示例を示す説明図である。
【図５】一実施例による表示例を示す説明図である。
【図６】一実施例による表示例を示す説明図である。
【図７】一実施例による表示例を示す説明図である。
【図８】一実施例による表示例を示す説明図である。
【図９】一実施例による表示例を示す説明図である。
【図１０】一実施例による表示例を示す説明図である。
【図１１】一実施例による表示例を示す説明図である。
【図１２】一実施例による縮小画像のデータ構成を示す説明図である。
【図１３】従来の表示例を示す説明図である。
【図１４】従来の表示例を示す説明図である。
【符号の説明】
１  テレビジョン受像機
６  中央制御装置（ＣＰＵ）
９  スイッチ回路
１１  陰極線管
１２  水平偏向回路
１３  垂直偏向回路
１４Ｈ  水平偏向コイル
１４Ｖ  垂直偏向コイル
２３  メモリコントローラ
２４  メモリ
１００，２００，３００‥‥９００  画面
１０１，２０１，３０１‥‥９０１  親画面
１０２〜１０４，２０２〜２０４，３０２〜３０９，４０２〜４０９，５０２〜５０５，６０２〜６１０，７０２，８０２〜８１０，９０２〜９０６  子画面
１１２，１１３，１１４  枠
【図１】
0003543806.tif 000002
【図２】
0003543806.tif 000003
【図３】
0003543806.tif 000004
【図４】
0003543806.tif 000005
【図５】
0003543806.tif 000006
【図６】
0003543806.tif 000007
【図７】
0003543806.tif 000008
【図８】
0003543806.tif 000009
【図９】
0003543806.tif 000010
【図１０】
0003543806.tif 000011
【図１１】
0003543806.tif 000012
【図１２】
0003543806.tif 000013
【図１３】
0003543806.tif 000014
【図１４】
0003543806.tif 000015